(57)【特許請求の範囲】
【請求項１】
繊維強化樹脂製の板状の表面パネル（１）と、該表面パネル（１）の下面へ積層された発泡樹脂製の板状の支持部（２）と、該表面パネル（１）と該支持部（２）を同時に貫通する排水口（３）と、該排水口（３）の内部へ配置された中空円筒状の排水部材（４）を有する床パネルにおいて、以下の（Ａ）〜（Ｃ）を具備する床パネル。
（Ａ）排水部材（４）が、軸方向の一端から外周方向へ延出したフランジ（５）と、フランジ（５）の周方向へ沿って設けられた複数の環状の係止リブ（６）を有する。
（Ｂ）フランジ（５）は表面パネル（１）の下面と当接して、係止リブ（６）は表面パネル（１）と係止している。
（Ｃ）係止リブのフランジからの延出高さは０．５〜１．５ｍｍ、係止リブの幅は１〜１０ｍｍである。
【請求項２】
フランジ（５）の大きさが、排水口（３）内径の１１０〜１５０％の径である請求項１記載の床パネル。
【請求項３】
表面パネル（１）が未硬化状態のうちに、フランジ（５）を該表面パネル（１）の下面と圧着させる請求項１又は２に記載の床パネル。
【発明の詳細な説明】
【０００１】
【発明の属する技術分野】
本発明は、一枚又は複数枚連続して敷きつめてベランダやバルコニー、テラス等を形成する床パネルに係り、特に表面パネルと排水部材の接続部からの漏水を防止できる床パネルに関する。
【０００２】
【従来の技術】
従来、ベランダやバルコニー、テラス等に設置される床パネルとしては、特公平７−１１１０８５号や特開平８−１８９１５１号のようなものが知られている。これらの手段は、排水口に落葉や物等が侵入しないようにカバーや多数の貫通孔を有する箱状体を配置したものである。
【０００３】
【発明が解決しようとする課題】
しかしながら、これらの手段にあっては、落葉や物等が排水口に侵入することを防止できるが、カバーの網目や箱状体の貫通孔より小さい砂や埃等の侵入は防止できない。このため、排水口内部にこれら砂や埃が堆積してしまうと、排水部材の排水能力が低下し、雨水等の排水の水位が排水口まで上昇して表面パネルと排水部材の接続部から漏水してしまうという課題があった。
【０００４】
したがって、本発明の目的は、雨水等の排水の水位が排水口まで上昇しても、表面パネルと排水部材の接続部からの漏水を防止できる床パネルを提供することにある。
【０００５】
【課題を解決するための手段】
本発明者は、上記に鑑み鋭意検討を行った結果、繊維強化樹脂製の板状の表面パネルと、表面パネルの下面へ積層された発泡樹脂製の板状の支持部と、表面パネルと支持部を同時に貫通する排水口と、排水口の内部へ配置された中空円筒状の排水部材を有する床パネルにおいて、以下の（Ａ）〜（Ｃ）を具備する床パネルである。（Ａ）排水部材が、軸方向の一端から外周方向へ延出したフランジと、フランジの周方向へ沿って設けられた複数の環状の係止リブを有する。（Ｂ）フランジは表面パネルの下面と当接して、係止リブは表面パネルと係止している。（Ｃ）係止リブのフランジからの延出高さは０．５〜１．５ｍｍ、係止リブの幅は１〜１０ｍｍである。
【０００６】
【発明の実施の形態】
本発明の排水部材は、排水口内に配置されて、床パネルの表面に降り注いだ雨水等の排水を、漏水させることなく床パネルの外部へ排出するために採用したものである。排水部材にあっては、フランジを表面パネルへ当接させることにより表面パネルと排水部材の水密性を得ると共に、係止リブを表面パネルへ係止させることにより両者を安定的に固定するものである。
【０００７】
ここで、排水部材におけるフランジの大きさにあっては、あまりに小さいと表面パネルと排水部材の水密性が得られず、両者の接続部から漏水してしまい、あまりに大きくても効果が頭打ちになってしまうため、排水口内径の１１０〜１５０％の径を有するものが良い。なお、フランジの形状にあっては、円形のものだけでなく、多角形のものや異形のもの等、床パネルの当接部の形状に合わせて適宜選択して選択すればよい。
【０００８】
また、排水部材における係止リブのフランジからの延出高さにあっては、あまりに小さいと表面パネルと排水部材を安定的に固定できなくなってしまい、あまりに大きくても効果が頭打ちになってしまうため、０．５〜１．５ｍｍのものが良い。さらに、係止リブの幅にあっては、あまりに薄いと外部からの応力に耐えられず表面パネルと排水部材を安定的に固定できなくなってしまい、あまりに厚くても効果が頭打ちになってしまうため、１〜１０ｍｍのものが良い。
【０００９】
係止リブの形状としては、フランジの周方向へ沿って連続又は断続的に設けられた単数又は複数の環状のものや、点状のもの、線状のもの等、適宜選択して採用すればよい。
【００１０】
排水部材を表面パネルに取り付けるには、排水部材のフランジと表面パネルを粘着材や接着剤、ボルト、ねじ等で固定したり、成形中の未硬化状態の表面パネルに排水部材のフランジを圧着させて一体化すればよい。
【００１１】
排水部材の材料としては、上記効果を有するものであれば適宜選択して採用することができ、例えばポリスチレン、ＡＢＳ樹脂、ＡＳ樹脂、ポリエチレン、ポリブチレン、ＥＶＡ樹脂、ポリプロピレン、メタクリル酸メチル樹脂、セルロースアセテート、ポリカーボネート、ポリアミド、ポリアセタール、変成ポリフェニレンオキサイド、ポリサルフォン、ポリエチレンテレフタレート、ポリブチレンテレフタレート、ポリ塩化ビニル、ポリメチルペンテン、ポリエーテルスルフォン、ポリフェニレンスルフォン、ポリアリレート、ポリエーテルエーテルケトン、ＡＡＳ樹脂、メタクリルスチレン樹脂等の合成樹脂や、鉄、アルミニウム、ステンレス、銅、真鍮、亜鉛、チタン等の金属材料があり、これらを単独又は複合して採用できる。
【００１２】
本発明の床パネルにおける表面パネルは、床パネルの床面となる部材として採用したものであり、人や物の重量を支える強度を有すると共にベランダやバルコニーに防水性を持たせるためのものである。
【００１３】
ここで、表面パネルの厚みにあっては、あまりに薄いと曲げ強度や衝撃強度が低下し、人や物の重量に耐えられなくなって破損してしまい、あまりに厚いと製品重量が重くなり取付作業性が損なわれてしまうため、１〜５ｍｍのものが良い。
【００１４】
表面パネルの材料としては、上記効果を有する繊維強化樹脂であれば適宜選択して採用することができ、例えば、不飽和ポリエステル樹脂、エポキシ樹脂、ビニルエステル樹脂、フェノール樹脂、シリコン樹脂、アリル樹脂、ポリイミド樹脂、フラン樹脂、ポリウレタン系樹脂等の合成樹脂と、ガラス繊維、炭素繊維、アラミド繊維、ボロン繊維等の強化繊維を複合したものがある。
【００１５】
本発明における支持部は、表面パネルを支持してベランダやバルコニーへ安定的に固定すると共に床パネルとベランダやバルコニーの下地との間に断熱性を持たせるために採用したものである。
【００１６】
支持部の厚みにあっては、あまりに薄いと表面パネルを安定的に固定できなくなると共に断熱効果が低くなり、あまりに厚くても床パネルが嵩高くなると共に製品重量が重くなり取付作業性が損なわれるため、３０〜１５０ｍｍのものが良い。
【００１７】
支持部の素材としては、表面パネルに対し高い密着性を有する発泡性樹脂であれば適宜採択でき、ポリウレタン発泡樹脂、エポキシ発泡樹脂、フェノール発泡樹脂、ポリアクリル発泡樹脂等がある。
【００１８】
本発明にあっては、繊維強化樹脂製の板状の表面パネルと、表面パネルの下面へ積層された発泡樹脂製の板状の支持部と、表面パネルと支持部を同時に貫通する排水口と、排水口の内部へ配置された中空円筒状の排水部材を有する床パネルにおいて、以下の（Ａ）〜（Ｃ）を具備する床パネルとすることで、雨水等の排水の水位が排水口まで上昇しても、表面パネルと排水部材の接続部からの漏水を防止できる床パネルが得られた。（Ａ）排水部材が、軸方向の一端から外周方向へ延出したフランジと、フランジの周方向へ沿って設けられた複数の環状の係止リブを有する。（Ｂ）フランジは表面パネルの下面と当接して、係止リブは表面パネルと係止している。（Ｃ）係止リブのフランジからの延出高さは０．５〜１．５ｍｍ、係止リブの幅は１〜１０ｍｍである。
【００１９】
【実施例】
本発明における実施例１について、図１、図２を参照しつつ説明する。ここで図１は、実施例１の床パネルにおける排水口３の周辺部を、排水部材４の中心軸を通る平面で切断した部分縦断面図であり、図２は、実施例１の排水部材４を示した斜視図である。
【００２０】
本実施例の床パネルは、図１に表されるように、繊維強化樹脂製の板状の表面パネル１と、表面パネル１の下面へ積層された発泡樹脂製の板状の支持部２と、表面パネル１と支持部２を同時に貫通する排水口３と、排水口３の内部へ表面パネルの下面と当接するように配置された排水部材４を有するものである。また、排水部材４は、図２に表されるように、中空円筒形状で、軸方向の一端から外周方向へ延出したフランジ５と、フランジ５に配置された２条のリング状の係止リブ６を有するものである。
【００２１】
ここで、表面パネル１は不飽和ポリエステル樹脂をガラス繊維で強化した繊維強化樹脂製であり、支持部２はポリウレタンを発泡して得られた発泡樹脂製であり、排水部材４はポリ塩化ビニル樹脂製である。
【００２２】
本実施例の床パネルにおいて、表面パネル１、支持部２、排水部材４を組み立てる工程を説明する。
【００２３】
本実施例の床パネルは、繊維強化樹脂をスプレーアップ法にて成形用型枠へ塗布して表面パネル１を成形し、表面パネル１が未硬化のうちに排水部材４のフランジ５を表面パネル１の取付部分へ当接させて一体化し、さらに、ポリウレタン発泡樹脂を注入成形して支持部２を積層させて得たものである。なお、以下に示す他の実施例及び比較例は、特に記載しない限り本実施例と同様のものである。
【００２４】
本実施例の床パネルにおいては、排水部材４のフランジ５を表面パネル１に当接させて一体化することで両者の水密性を得ると共に、フランジ５の周縁に設けられた係止リブ６を表面パネル１に係止させることで両者を安定的に固定でき、目的とする床パネルが得られた。
【００２５】
本発明における実施例２について、図３を参照しつつ説明する。ここで図３は、本実施例における排水部材４を模式的に示した斜視図である。
【００２６】
本実施例の床パネルは、実施例１の床パネルにおける排水部材４を、図３に示すように、３条のリング状の係止リブ６を有するものに変更したものである。本実施例にあっても、目的とする床パネルが得られた。
【００２７】
本発明における比較例１について、図４を参照しつつ説明する。ここで図４は、比較例１における排水部材４を模式的に示した斜視図である。
【００２８】
比較例１の床パネルは、実施例１の床パネルにおける排水部材４を、図３に示すように、係止リブ６を有さないものに変更したものである。比較例１にあっては、ポリウレタン発泡樹脂を注入成形して支持部２を積層させる際に、排水部材４の設置位置がずれてしまい、表面パネル１と排水部材４の接続部から漏水してしまった。
【００２９】
【発明の効果】
本発明にあっては、繊維強化樹脂製の板状の表面パネルと、表面パネルの下面へ積層された発泡樹脂製の板状の支持部と、表面パネルと支持部を同時に貫通する排水口と、排水口の内部へ配置された中空円筒状の排水部材を有する床パネルにおいて、以下の（Ａ）〜（Ｃ）を具備する床パネルとすることで、雨水等の排水の水位が排水口まで上昇しても、表面パネルと排水部材の接続部からの漏水を防止できる床パネルが得られた。（Ａ）排水部材が、軸方向の一端から外周方向へ延出したフランジと、フランジの周方向へ沿って設けられた複数の環状の係止リブを有する。（Ｂ）フランジは表面パネルの下面と当接して、係止リブは表面パネルと係止している。（Ｃ）係止リブのフランジからの延出高さは０．５〜１．５ｍｍ、係止リブの幅は１〜１０ｍｍである。又、フランジの大きさが、排水口内径の１１０〜１５０％の径である。さらに、表面パネルが未硬化状態のうちに、フランジを該表面パネルの下面と圧着させる床パネルである。
【図面の簡単な説明】
【図１】実施例１の床パネルにおける排水口周辺部を、排水部材の中心軸を通る平面で切断した部分縦断面図である。
【図２】実施例１の排水部材を示した斜視図である。
【図３】実施例２の排水部材を示した斜視図である。
【図４】比較例１の排水部材を示した斜視図である。
【符号の説明】
１    表面パネル
２    支持部
３    排水口
４    排水部材
５    フランジ
６    係止リブ
【図１】
0003910042.tif 000002
【図２】
0003910042.tif 000003
【図３】
0003910042.tif 000004
【図４】
0003910042.tif 000005